(57)【要約】【課題】  ロッキングバーとタンブラーを組み合わせたシリンダー錠において、タンブラーがスライド運動するシリンダーには２系統の鎖錠機構を設けたものがあるが、回転軸を持ち、タンブラーが回転運動するシリンダー錠にはそれが見られない。  一般に、スライド運動するタンブラーよりも、回転運動するタンブラーの方が、防犯性が高いので、回転運動するタンブラーを持つシリンダーで２系統の鎖錠機構を設けることが課題である。【解決手段】２個のタンブラーを２つ巴状に配置し、各々の巴の頭部分に回転軸を設け、各々の巴の尾の部分にロッキングバーを受けるコード溝を設け、シリンダーの回転軸を通る直線上に上ロッキングバー、下タンブラー回転軸、鍵穴、上タンブラー回転軸、下ロッキングバーを配し、各々のタンブラーを互いのタンブラー回転軸が補強してタンブラーの変形を防止するシリンダーのタンブラー配置と構造を実現した。【選択図】図８
2007303131.tif 000002
【特許請求の範囲】
【請求項１】
合鍵を鍵穴に差し込んだときにタンブラー回転軸を中心に回転運動するタンブラーと、内筒の不用意な回転を防止する役割を果たすロッキングバーを組み合わせたシリンダーにおいて、２個のタンブラー回転軸（１１）（１０）を設け、各々のタンブラー回転軸に上タンブラー（１２）と下タンブラー（１３）を組み付け、両タンブラーを２つ巴状に配置し、鍵穴（３）を中心に点対称となるように上ロッキングバー（６）と下ロッキングバー（８）を配置し、両タンブラーの尾の部分にロッキングバーを受けるコード溝（１６ａ）（１６ｂ）を設け、上ロッキングバー（６）、下タンブラー回転軸（１０）、鍵穴（３）、上タンブラー回転軸（１１）、下ロッキングバー（８）を、シリンダー回転軸（４）を通る直線上に配置して、タンブラーを仕切る１つの区画毎にタンブラーを１個組み付けたシリンダーのタンブラー配置と構造。
【請求項２】
タンブラーを仕切る１つの区画（４９）毎に、上タンブラー（４２）と下タンブラー（４３）の２個のタンブラーを組み付けた請求項１記載のタンブラー配置と構造。
【請求項３】
上タンブラー（１２）（４２）に対して、下タンブラー（１３）（４３）のタンブラー回転軸（１０）（４０）が補強材となり、下タンブラー（１３）（４３）に対して、上タンブラー（１２）（４２）の回転軸（１１）（４１）が補強材となる請求項１，２記載のタンブラー配置と構造。
【発明の詳細な説明】
【技術分野】
【０００１】
合鍵を差した時に回転運動をするタンブラーを持つシリンダーに対して、２系統の鎖錠機能を設ける為の技術に関する。
【背景技術】
【０００２】
タンブラーとロッキングバーを組み合わせた構造を持つシリンダーは、ロッキングバーを持たないシリンダーと比べてピッキング防止等の面で効果が高いと思われる。
そのようなシリンダーで、タンブラーがスライド運動するシリンダーでは図１２Ｂで示したように、上タンブラー（７４）と上ロッキングバー（７３）及び下タンブラー（７６）と下ロッキングバー（７５）のように２系統の鎖錠機能を設けたものがある。
しかし、タンブラーに回転軸を持ち、合鍵を差したときに回転運動するタンブラーには、２系統の鎖錠機能を持つものは存在しない。
【特許文献１】特開２０００―２９１３００
【発明の開示】
【発明が解決しようとする課題】
【０００３】
タンブラーとロッキングバーを組み合わせた鎖錠機構に於いて、スライド運動するタンブラーと回転運動するタンブラーを比較した場合、回転運動するタンブラーの方がピッキングし難い。回転運動するダンブラーの場合、シアーライン（コード溝が直線的に揃ったときのライン）を形成しにくいからである。
そこで、その回転運動するタンブラーを持つシリンダーに対して２系統の鎖錠機能を設けることが課題となる。
【０００４】
回転運動するタンブラーではスライド運動するタンブラーと比べて１個のタンブラーの占める範囲が大きく、その為に２系統のタンブラーを配置することが難しい。タンブラーの形状がスライド運動するタンブラーと比べて複雑で、大きさも大きいことも２系統の鎖錠機能を設け難い一因である。
また、ロッキングバーの位置とタンブラーの回転軸の位置関係が鍵穴に対して対角位置でなければならず、その事も２系統の鎖錠機能を設け難い原因となっている。互いのタンブラー回転軸が互いのタンブラーの回転を妨げる要因となる為である。
また、２系統の鎖錠機能を設けた場合のシリンダーの破壊強度を確保し難い為に、これまで実現できなかったと考えられる。
ちなみに、鎖錠機能とは、合鍵か否かを識別する機能のことをいう。
【課題を解決するための手段】
【０００５】
１個のシリンダーに対して２系統の鎖錠機能を設けた請求項１記載のタンブラー配置と構造を図３Ａ，Ｂと図１１を基に説明する。
まず、タンブラーの配置を図３Ａ，Ｂを組み合わせて２つ巴状に配置した。
第二に、タンブラーの回転軸を巴状の両方の頭部分（５５ａ）（５５ｂ）に配置した。
第三に、両ロッキングバー（６）（８）を受けるコード溝（１６ａ）（１６ｂ）を巴状の各々の尾（５４ａ）（５４ｂ）の部分に設けた。
第四に、両ロッキングバーを、それぞれ鍵穴を中心に点対称となるよう配置した。
第五に、上ロッキングバー（６）、下タンブラー回転軸（１０）、鍵穴（３）、上タンブラー回転軸（１１）、下ロッキングバー（８）を直線上に配置した。
以上が配置の特徴である。
【０００６】
請求項１記載のタンブラー配置と構造は、図２のシリンダーを輪切り状に仕切り（５）で仕切った１つの区画に１個ずつのタンブラーを組み付けたものである。
それが図２Ｂ位置の区画部分を図３Ａで示し、図２Ｃ位置の区画部分を図３Ｂで示したものである。
鍵穴（３）に鍵を差しても上タンブラー（１２）のコード溝（１６ａ）が上ロッキングバー（６）位置に合い、同時に下タンブラー（１３）のコード溝（１６ｂ）が下ロッキングバー（８）位置に合わないと、鍵を回そうとした時にロッキングバーがタンブラーに当って鍵を回すことが出来ない。
【０００７】
図４Ａ，Ｂは、合鍵を鍵穴に差し、合鍵のコードが合い、上ロッキングバーの位置に上タンブラーのコード溝が合い、下ロッキングバーの位置に下タンブラーのコード溝が合ったことを示す。この状態で、合鍵を回すことができるようになる。
図５Ａ，Ｂは、合鍵を回した状態を示す。
請求項１記載のタンブラー配置と構造は、ロッキングバーと回転するタンブラーを組み合わせたシリンダーに於いて、この配置と構造にすることで、上ロッキングバーと上タンブラーを組み合わせた鎖錠機能と、下ロッキングバーと下タンブラーを組み合わせた鎖錠機能の、２系統の鎖錠機能を設けることを実現したものである。
【０００８】
請求項１記載のタンブラー配置と構造にすることで、シリンダーの１区画に２個のタンブラーを組み込むことも可能となる。
その１つの区画に２個のタンブラーを組み込んだのが請求項２記載のタンブラー配置と構造である。
その配置構造を図７，８，９に基づいて説明する。
図７が図１のＡＡ断面のタンブラーを示し、１つの区画（４９）に上タンブラー（４２）と下タンブラー（４３）を組み付けたことを示す。
【０００９】
図８が図７のＤ位置輪切り断面のタンブラー配置を示す。請求項２記載のものは、請求項１記載の２区画分のタンブラーを１区画の中に配置し、図7Ｄ位置断面で示したように１区画に２個のタンブラーを配置したものである。そうすることによって、請求項１記載のシリンダーと比べ２倍の数のタンブラーを１個のシリンダーに設けることが可能となる。
【００１０】
請求項３記載のタンブラー配置と構造を図３と図８に基づいて説明する。
図３は請求項１記載のタンブラー配置に対する補強の仕組みを示す。
上タンブラー（１２）の補強を下タンブラーのタンブラー回転軸（１１）が受け持つ。上タンブラーの補強を下タンブラーの回転軸に組み付けたワッシャー（１４ａ）で受け止める。即ち、上タンブラー（１２）に掛かった力を上タンブラーと下タンブラーの回転軸（１０）で受け止める。下タンブラー（１３）に掛かった力を下タンブラーと上タンブラーの回転軸（１１）で受け止める。
【００１１】
図８は請求項２記載のタンブラー配置に対する補強の仕組みを示す。
上タンブラー（４２）の補強を下タンブラー（４３）の頭部分が受け持つ。
上タンブラーに掛かった力を上タンブラーの頭部分が受け止め、下タンブラーのタンブラー回転軸（４０）が補強をする。
下タンブラー（４３）に掛かった力を上タンブラー（４２）の頭部分が受け止め、上タンブラー回転軸（４１）が補強をする。
【００１２】
従来の、１個のロッキングバーと回転するタンブラーを組合せたシリンダーでは、図１２Ａで示したように、補強材（６８）を設けてタンブラー（６４）を補強している。１個のシリンダーに２個のタンブラー回転軸を設け、それぞれのタンブラー回転軸にタンブラーを組み付け、回転軸毎のロッキングバーを持つ本発明のようなシリンダーでは、その補強材を設けるスペースが見当たらない。
それゆえ、本発明では、互いのタンブラー回転軸を補強材とすることによってシリンダーの強度を確保したものである。
【００１３】
従来のロッキングバーとスライド運動するタンブラーを組み合わせたシリンダーではタンブラーの寸法が小さく、直線運動するため、図１２Ｂで示したように１つのシリンダーに２系統の鎖錠機構を設け易い。このようなシリンダーでは、補強仕切り（７９）も自然に確保することが出来る。つまり、あまり工夫をしなくても２系統の鎖錠機構を組み付けることが出来る。
【発明の効果】
【００１４】
ピッキング等の不正解錠がし難く、破壊に強い。つまり防犯性が高い。また、少しでも多くの鍵違いを確保でき、多様なキーシステムを構築することができる。加えて、製作し易く、安価に作ることができる。
本発明は、上記効果を、回転運動するタンブラーを持つシリンダーに対して２系統の鎖錠機能を設けることによって実現したことに意味がある。
また、請求項２記載の発明は、タンブラー数を従来の２倍にすることができ、より高い防犯性を発揮することができる。
さらに、請求項３記載の発明では、一方のタンブラーに対して他方のタンブラーの回転軸を補強材として活用しているため、別途補強材を入れる必要がない。
【発明を実施するための最良の形態】
【００１５】
従来のロッキングバーと回転するタンブラーを組み合わせたシリンダーは、図１２Ａで示したように１個のロッキングバー（６３）と１個のシリンダー回転軸（６５）を持つだけの、鎖錠機構が１個だけのものである。
本発明はそのシリンダー構造にロッキングバー２個、タンブラー回転軸を２個として、シリンダーの強度を確保しつつ２系統の鎖錠機構を設けたものである。
【００１６】
請求項１記載のタンブラーの配置と構造は、図１１で示した２つ巴の形からヒントを得て考えたものである。
互いの巴形の頭（５５）にタンブラー回転軸を設け、巴形の尾（５４）の部分にロッキングバーを受けるコード溝を配置したものである。
そのタンブラーの配置と構造を図２，３に基づいて説明する。
シリンダーの輪切り断面の配置では、シリンダー回転軸（４）を通る直線上に上ロッキングバー（６）、下タンブラー回転軸（１０）、鍵穴（３）、上タンブラー回転軸（１１）、下ロッキングバー（８）の順で配置する。
【００１７】
上タンブラー（１２）を上タンブラー回転軸に組み付け、上タンブラーのコード溝（１６ａ）を上ロッキングバー（６）と組み合わせる。
下タンブラー（１３）を下タンブラー回転軸に組み付け、下タンブラーのコード溝（１６ａ）を下ロッキングバー（８）と組み合わせる。
この配置と構造を、上タンブラーと下タンブラーを仕切り毎に分け、仕切り毎に１個のタンブラーを設けたのが請求項１記載のタンブラー配置と構造である。
配置と構造を、上タンブラーと下タンブラーの２個を１つの区画に同時に設けたのが、請求項２記載のタンブラー配置と構造である。
【００１８】
請求項２記載のタンブラー配置と構造を図７，８に基づいて説明する。
シリンダーの輪切り断面の配置は、シリンダー回転軸（３４）を通る直線上に上ロッキングバー（３６）、下タンブラー回転軸（４０）、鍵穴（３３）、上タンブラー回転軸（４１）、下ロッキングバー（３８）の順で配置する。これは請求項１記載の配置と同じである。
請求項１との違いは、仕切り（３５）で仕切った１つの区画（４９）内に、上タンブラー回転軸（４１）に上タンブラー（４２）を組み付け、下タンブラー回転軸（４０）に下タンブラー（４３）を組み付けた点にある。
【００１９】
１つの区画毎に１個のタンブラーを組み付けることと、２個のタンブラーを組み付けることの利害得失について述べる。
１個のタンブラーを組み付ける場合は、タンブラーの回転運動に対する空間を広く確保することができ、タンブラーの形状をある程度自由な形にすることができる。
２個のタンブラーを組み付ける場合は、ある程度タンブラーの形が制約を受けてしまう。しかし２個のタンブラーを組み付けた場合は、タンブラー数を２倍設けること可能なため、鍵違い数をその分多く確保することが可能となる。鍵違い数が多ければ、それだけ複雑なキーシステムに対応することも可能となる。
【００２０】
請求項３記載のタンブラー配置と構造を説明する。
もし請求項１，２記載のシリンダーに補強が無い場合には、シリンダーに合わない鍵を差し、又は内筒（２）を無理に回すと、ロッキングバー（６）（８）がタンブラー（１２）（１３）を強く押すこととなってしまう。その結果、タンブラー回転軸（１１）（１０）に無理な力が掛かり、タンブラーが曲がってしまう。
【００２１】
１区画にタンブラーを１個組み付けたときの請求項３記載の構造は図３Ａ，Ｂに示した通りである。
１区画内の、タンブラーを組み付けないタンブラー回転軸にワッシャー（１４ａ）（１４ｂ）を組み付ける。そうすることによって、上ロッキングバー（６）が上タンブラー（１２）を押したときに、上タンブラー回転軸（１１）とワッシャー（１４ａ）を組み付けた下タンブラー回転軸（１０）の２個で力を受け止め、上タンブラーの変形を防止する。
下ロッキングバー（８）が下タンブラー（１３）を押したときに、下タンブラー回転軸（１０）とワッシャー（１４ｂ）を組み付けた上タンブラー回転軸（１１）の２個で力を受け止め、下タンブラーの変形を防止する。
【００２２】
１区画にタンブラーを２個組み付けた時の請求項３記載の構造を図８に基づいて説明する。
上ロッキングバー（３６）が上タンブラー（４２）を押したときに、上タンブラー回転軸（４１）とワッシャーに代えて下タンブラー（４３）の頭部分に組み付けた下タンブラー回転軸（４０）の２個で力を受け止め、上タンブラーの変形を防止する。
下ロッキングバー（３８）が下タンブラー（４３）を押したときに、下タンブラー回転軸（４０）とワッシャーに代えて上タンブラー（４２）の頭部分に組み付けた上タンブラー回転軸（４１）の２個で力を受け止め、下タンブラーの変形を防止する。
【図面の簡単な説明】
【００２３】
【図１】発明のシリンダーの斜視図である。
【図２】図１のＡＡ断面で、請求項１記載のタンブラー配置と構造で、タンブラーを黒色で示す。
【図３】Ａ  図２のＢ位置輪切り断面を示す。  Ｂ  図２のＣ位置輪切り断面を示す。
【図４】Ａ  図３Ａに合鍵を差した状態を示す。    Ｂ  図３Ｂに合鍵を差した状態を示す。
【図５】Ａ  図３Ａの合鍵を９０度回した状態を示す。    Ｂ  図３Ｂに合鍵を９０度回した状態を示す。
【図６】仕切りの仕切り板形状を示す。
【図７】図１のＡＡ断面で、請求項２記載のタンブラー配置と構造で、上タンブラーを斜線で塗り、下タンブラーを黒色で塗って示す。
【図８】図７のＤ位置輪切り断面を示す。
【図９】Ａ  外筒を示す。    Ｂ  内筒とロッキングバーを示す。    Ｃ  上タンブラーを示す。    Ｄ  下タンブラーを示す。    Ｅ  上タンブラー回転軸と下タンブラー回転軸を示す。
【図１０】Ａ  請求項１記載のシリンダーに対応する合鍵形状の１例を示す。  Ｂ  請求項１，２記載のシリンダーに対応する合鍵形状の１例を示す。
【図１１】２つ巴の形を示す。
【図１２】Ａ  従来の、回転軸を軸に回転運動をするタンブラーと、ロッキングバーを組み合わせたシリンダーの輪切り断面形状を示す。    Ｂ  従来のスライド運動するタンブラーとロッキングバーを組み合わせた、２系統の鎖錠機構を持つシリンダーの輪切り断面形状を示す。
【符号の説明】
【００２４】
１        外筒
２        内筒
３        鍵穴
４        シリンダー回転軸
５        仕切り
６        上ロッキングバー
７        ロッキングバーバネ
８        下ロッキングバー
９        下ロッキングバーバネ
１０      下タンブラー回転軸
１１      上タンブラー回転軸
１２      上タンブラー
１３      下タンブラー
１４      ワッシャー
１５      タンブラーバネ
１６      コード溝
１７      合鍵
１８      タンブラー回転軸受け穴
１９      タンブラー回転軸受け穴
２０      ロッキングバー受け溝
２１      ロッキングバー定位溝
３１      外筒
３２      内筒
３３      鍵穴
３４      シリンダー回転軸
３５      仕切り
３６      上ロッキングバー
３７      ロッキングバーバネ
３８      下ロッキングバー
３９      ロッキングバーバネ
４０      下タンブラー回転軸
４１      上タンブラー回転軸
４２      上タンブラー
４３      下タンブラー
４４      ロッキングバー定位溝
４５      タンブラーバネ
４６      コード溝
４７      ロッキングバーガイド溝
４８      タンブラー回転軸受け穴
４９      区画
５１      鍵軸
５２      上タンブラー対応キザミ
５３      下タンブラー対応キザミ
５４      巴形の尾
５５      巴形の頭
６１      外筒
６２      内筒
６３      ロッキングバー
６４      タンブラー
６５      タンブラー回転軸
６６      タンブラーバネ
６７      鍵穴
６８      補強材
７１      外筒
７２      内筒
７３      上ロッキングバー
７４      上タンブラー
７５      下ロッキングバー
７６      下タンブラー
７７      タンブラーバネ
７８      鍵穴
７９      補強仕切り
【図１】
2007303131.tif 000003
【図２】
2007303131.tif 000004
【図３】
2007303131.tif 000005
【図４】
2007303131.tif 000006
【図５】
2007303131.tif 000007
【図６】
2007303131.tif 000008
【図７】
2007303131.tif 000009
【図８】
2007303131.tif 000010
【図９】
2007303131.tif 000011
【図１０】
2007303131.tif 000012
【図１１】
2007303131.tif 000013
【図１２】
2007303131.tif 000014
【手続補正書】
【提出日】平成19年9月18日(2007.9.18)
【手続補正１】
【補正対象書類名】特許請求の範囲
【補正対象項目名】請求項１
【補正方法】変更
【補正の内容】
【請求項１】
タンブラーに回転軸を持ち、合鍵を鍵穴に差し込んだ時に回転運動するタンブラーと、２個のロッキングバーを持つシリンダーに於いて、シリンダー上方の上ロッキングバー（６）に対応する上タンブラー（１２）の、タンブラー回転軸（１１）を鍵穴（３）の下方に配置し、シリンダーの下方の下ロッキングバー（８）に対応する下タンブラー（１３）の、タンブラー回転軸（１０）を鍵穴（３）の上方に配置し、１つの区画毎に２個のタンブラーを組み付けた場合に、両タンブラーが鍵穴を挟んで、２つ巴状に抱き合うように配置する事で、両タンブラーの回転径をシリンダー内で最大となるように作る事を可能にして、両タンブラーに設けたロッキングバーを受ける為のコード溝（１６a）（１６a）の、回転径が最大にできるタンブラーの配置で、上から上ロッキングバー、上タンブラー、下タンブラー回転軸、鍵穴、上タンブラー回転軸、下タンブラー、下ロッキングバーの順に配置した事で、鍵穴とコード溝間の距離を、鍵穴とタンブラー回転軸間の距離より大きく確保できるようにしたシリンダー構造で、上下２個のロッキングバーに対して、タンブラーを仕切る１つの区画毎に、上タンブラーか下タンブラーの、１個のタンブラーを組み付けたシリンダーのタンブラー配置と構造。
【手続補正２】
【補正対象書類名】明細書
【補正対象項目名】００１４
【補正方法】変更
【補正の内容】
【００１４】
回転運動するタンブラーと、２個のロッキングバーを持つ１つのシリンダーに於いて、タンブラーを仕切る１つの区画毎に、１個又は２個のタンブラーを組みつける場合に、タンブラー回転軸とコード溝間の寸法である、タンブラー回転径を大きく確保する事は非常に重要である。
理由は、タンブラーの回転角度が小さくてもコード溝の移動距離が大きくなる事で、タンブラー外周の広い範囲にコード溝を設定可能となり、鍵違い数を多く確保する事が可能になる。
また、合鍵とコード溝間の距離を、合鍵とタンブラー回転軸間の距離よりできるだけ大きくする事が重要である。
理由は、合鍵を鍵穴に差し込み、タンブラーを動かした時に、合鍵のキザミであるコードによるタンブラーの動きが拡大される事で、合鍵のキザミの深さ違いを小幅に設定する事が可能となり、鍵違い数を多く確保する事が可能になる。
タンブラーの回転径を大きくする事でコード溝の幅を広く確保する事が可能になり、コード溝に入るロッキングバーの幅を広く確保する事が可能になり、ロッキングバー強度を高める事でシリンダー強度を高める事が可能になる。
本発明は上ロッキングバーに対応にした上タンブラーの回転軸を鍵穴の下方に配置し、下ロッキングバーに対応した下タンブラーの回転軸を鍵穴の上方に配置し、両タンブラーを、錠穴を挟んで２つ巴状に配置する事で、両タンブラーの回転径をシリンダー内で最大に確保する事を可能にして上記問題を解決したものである。